(57)【要約】【課題】ユーザの撮影した映像を簡便に且つ嗜好に沿った形で背景映像として供給し得る音楽再生装置の背景映像供給システムを提供する。【解決手段】演奏曲を選択するための演奏曲選択手段１３４と、静的又は動的な映像情報を入力するための映像情報入力手段１３６と、上記演奏曲選択手段１３４により選択された演奏曲に対して上記映像情報入力手段１３６により入力された複数の映像情報を背景映像として対応付ける映像情報対応付手段１４０と、上記演奏曲選択手段１３４により選択された演奏曲の演奏に際して、その演奏曲に対応付けられた対応付情報が存在する場合にその対応付情報に基づいて複数の映像情報を順次出力させる映像情報出力制御手段１４６とを、含むものであることから、可及的に簡便な操作により多様性に富んだ背景映像を設定することができる。【選択図】  図６
2004246075.tif 000002
【特許請求の範囲】
【請求項１】
選択された演奏曲を出力させると共に、該演奏曲の出力に伴って該演奏曲に応じた映像を背景映像として画像表示装置に表示させる音楽再生装置と、該音楽再生装置と所定の通信網を介して接続される通信端末とから成る音楽再生装置の背景映像供給システムであって、
前記通信端末は、前記演奏曲を選択するための演奏曲選択手段と、
静的又は動的な映像情報を入力するための映像情報入力手段と、
前記演奏曲選択手段により選択された演奏曲に対して前記映像情報入力手段により入力された複数の映像情報を背景映像として対応付ける映像情報対応付手段と
を、含むものであり、
前記音楽再生装置は、前記演奏曲選択手段により選択された演奏曲を出力させる際、該演奏曲に対応付けられた対応付情報が存在する場合に該対応付情報に基づいて複数の映像情報を順次出力させる映像情報出力制御手段を含むものであることを特徴とする音楽再生装置の背景映像供給システム。
【請求項２】
前記通信端末は、顧客を識別するための顧客情報を入力するための顧客情報入力手段を含み、前記映像情報対応付手段は、該顧客情報入力手段により入力された顧客情報と前記対応付情報とを関連付けるものであり、前記映像情報出力制御手段は、前記演奏曲選択手段により選択された演奏曲を出力させる際、該演奏曲に対応付けられ且つ前記顧客情報入力手段により入力される顧客情報に関連付けられた対応付情報が存在する場合に該対応付情報に基づいて複数の映像情報を順次出力させるものである請求項１の音楽再生装置の背景映像供給システム。
【請求項３】
前記映像情報対応付手段は、前記複数の映像情報を出力させる音楽再生装置を有する店舗を指定する店舗指定手段を含むものである請求項１又は２の音楽再生装置の背景映像供給システム。
【請求項４】
前記映像情報対応付手段は、前記複数の映像情報を出力させる年月日を指定する年月日指定手段を含むものである請求項１から３の何れかの音楽再生装置の背景映像供給システム。
【請求項５】
前記音楽再生装置及び通信端末と前記通信網を介して接続されるサーバを含み、該サーバは、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段を含むものである請求項１から４の何れかの音楽再生装置の背景映像供給システム。
【請求項６】
前記音楽再生装置は、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段を含むものである請求項１から４の何れかの音楽再生装置の背景映像供給システム。
【請求項７】
選択された演奏曲を出力させると共に、該演奏曲の出力に伴って該演奏曲に応じた映像を背景映像として画像表示装置に表示させる音楽再生装置であって、
前記演奏曲を選択するための演奏曲選択手段と、
静的又は動的な映像情報を入力するための映像情報入力手段と、
顧客を識別するための顧客情報を入力するための顧客情報入力手段と、
前記演奏曲選択手段により選択された演奏曲に対して前記映像情報入力手段により入力された複数の映像情報を背景映像として対応付ける映像情報対応付手段と、
前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段と、
前記演奏曲選択手段により選択された演奏曲を出力させる際、該演奏曲に対応付けられ且つ前記顧客情報入力手段により入力された顧客情報に関連付けられた対応付情報が存在する場合に該対応付情報に基づいて前記記憶手段に記憶された複数の映像情報を順次出力させる映像情報出力制御手段と
を、含むことを特徴とする音楽再生装置。
【請求項８】
選択された演奏曲を出力させると共に、該演奏曲の出力に伴って該演奏曲に応じた映像を背景映像として画像表示装置に表示させる音楽再生装置に所定の通信網を介して接続されるサーバであって、
前記演奏曲を選択するための演奏曲選択手段と、
静的又は動的な映像情報を入力するための映像情報入力手段と、
顧客を識別するための顧客情報を入力するための顧客情報入力手段と、
前記演奏曲選択手段により選択された演奏曲に対して前記映像情報入力手段により入力された複数の映像情報を背景映像として対応付ける映像情報対応付手段と、
前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段と
を、含むことを特徴とするサーバ。
【請求項９】
前記映像情報対応付手段は、前記複数の映像情報を出力させる音楽再生装置を有する店舗を指定する店舗指定手段を含むものである請求項８のサーバ。
【請求項１０】
前記映像情報対応付手段は、前記複数の映像情報を出力させる年月日を指定する年月日指定手段を含むものである請求項８又は９のサーバ。
【請求項１１】
前記映像情報対応付手段により前記演奏曲に対して複数の映像情報が背景映像として対応付けられた際、新規に対応付けられた場合及び既に対応付けられた前記対応付情報について表示が予定されていた年月日を経過した後に該対応付情報を変更する場合に利用料金を課金する課金手段を含むものである請求項８から１０の何れかのサーバ。
【発明の詳細な説明】
【０００１】
【発明の属する技術分野】
本発明は、例えば、カラオケボックスで使用されるカラオケ装置等の音楽再生装置に関し、特に、ユーザの撮影した映像を背景映像として供給するための技術に関する。
【０００２】
【従来の技術】
所定の記憶装置に予め記憶された複数の演奏曲から選択された所望の演奏曲の音楽情報を出力させると共に、その音楽情報の出力に同期してその演奏曲に応じた映像を背景映像として画面に表示させる音楽再生装置が知られている。例えば、カラオケボックス等で使用されるカラオケ装置がそれである。斯かるカラオケ装置によれば、予め記憶装置に記憶された複数のカラオケ演奏曲から選択された所望のカラオケ演奏曲の音楽情報を出力させると共に、そのカラオケ演奏曲の歌詞をその出力に同期して画面に表示させることができ、所望の歌をカラオケ演奏曲の伴奏を伴った状態で楽しむことができる。
【０００３】
ところで、従来のカラオケ装置では、例えば、ディスクプレーヤに予め格納された複数種類の映像の何れかが各カラオケ演奏曲に割り当てられており、カラオケ演奏に際しては使い回しの背景映像が用いられていた。だが近年になり、好みの映像を背景映像としてカラオケ演奏を楽しみたいというユーザの需要が高まってきた。そこで、ユーザの嗜好に応じて背景映像を指定することができる音楽再生装置が提案されている。例えば、特許文献１に記載されたカラオケ装置がそれである。斯かるカラオケ装置では、パーソナルコンピュータから演奏が希望されるカラオケ演奏曲がセンタに伝達されると、そのセンタでは背景映像のデータベースからそのカラオケ演奏曲に対して再生可能な背景映像のカタログが上記パーソナルコンピュータに送信される。ユーザは、斯かるカタログを参照して所望の背景映像を選択し、これを上記センタに伝達する。そのセンタではその背景映像の映像番号と上記演奏が希望されるカラオケ演奏曲の選曲番号とが組み合わされて登録され、各通信カラオケ装置に配信される。ユーザがその通信カラオケ装置において自己のＩＤを入力して上記カラオケ演奏曲を選曲すると、上記登録された背景映像と共にカラオケ演奏が実行される。
【０００４】
【特許文献１】
特開平１０−２０７４７６号公報
【０００５】
【発明が解決しようとする課題】
しかし、前記従来のカラオケ装置においてユーザの撮影した映像（静止画又は動画）をカラオケ演奏中の背景映像として用いる場合、ユーザに要求される操作が煩雑であることや、その背景映像が必然的に単調なものになりがちである等といった弊害があった。また、カラオケ装置は、通常、曲間映像や店舗広告映像等を外部から登録できる機能を備えているが、斯かる登録には専用の機器や特別の操作等が必要であり、ユーザが容易に利用できるものではなかった。すなわち、ユーザの撮影した映像を簡便に且つ嗜好に沿った形で背景映像として供給し得る技術は未だ開発されていないのが現状である。
【０００６】
本発明は、以上の事情を背景として為されたものであり、その目的とするところは、ユーザの撮影した映像を簡便に且つ嗜好に沿った形で背景映像として供給し得る音楽再生装置の背景映像供給システムを提供することにある。
【０００７】
【課題を解決するための第１の手段】
斯かる目的を達成するために、本第１発明の要旨とするところは、選択された演奏曲を出力させると共に、その演奏曲の出力に伴ってその演奏曲に応じた映像を背景映像として画像表示装置に表示させる音楽再生装置と、その音楽再生装置と所定の通信網を介して接続される通信端末とから成る音楽再生装置の背景映像供給システムであって、前記通信端末は、前記演奏曲を選択するための演奏曲選択手段と、静的又は動的な映像情報を入力するための映像情報入力手段と、前記演奏曲選択手段により選択された演奏曲に対して前記映像情報入力手段により入力された複数の映像情報を背景映像として対応付ける映像情報対応付手段とを、含むものであり、前記音楽再生装置は、前記演奏曲選択手段により選択された演奏曲を出力させる際、その演奏曲に対応付けられた対応付情報が存在する場合にその対応付情報に基づいて複数の映像情報を順次出力させる映像情報出力制御手段を含むことを特徴とするものである。
【０００８】
【第１発明の効果】
このようにすれば、前記通信端末は、前記演奏曲を選択するための演奏曲選択手段と、静的又は動的な映像情報を入力するための映像情報入力手段と、前記演奏曲選択手段により選択された演奏曲に対して前記映像情報入力手段により入力された複数の映像情報を背景映像として対応付ける映像情報対応付手段とを、含むものであり、前記音楽再生装置は、前記演奏曲選択手段により選択された演奏曲を出力させる際、その演奏曲に対応付けられた対応付情報が存在する場合にその対応付情報に基づいて複数の映像情報を順次出力させる映像情報出力制御手段を含むものであることから、可及的に簡便な操作により多様性に富んだ背景映像を設定することができる。すなわち、顧客（ユーザ）の撮影した映像を簡便に且つ嗜好に沿った形で背景映像として供給し得る音楽再生装置の背景映像供給システムを提供することができる。
【０００９】
【第１発明の他の態様】
ここで、好適には、前記通信端末は、顧客を識別するための顧客情報を入力するための顧客情報入力手段を含み、前記映像情報対応付手段は、その顧客情報入力手段により入力された顧客情報と前記対応付情報とを関連付けるものであり、前記映像情報出力制御手段は、前記演奏曲選択手段により選択された演奏曲を出力させる際、その演奏曲に対応付けられ且つ前記顧客情報入力手段により入力される顧客情報に関連付けられた対応付情報が存在する場合にその対応付情報に基づいて複数の映像情報を順次出力させるものである。このようにすれば、前記顧客情報により識別された顧客に限定して前記音楽再生装置の背景映像供給システムを提供できることに加え、所定のデータベースにその顧客情報毎に格納することで前記映像情報及び対応付情報の管理が容易になるという利点がある。
【００１０】
また、好適には、前記映像情報対応付手段は、前記複数の映像情報を出力させる音楽再生装置を有する店舗を指定する店舗指定手段を含むものである。このようにすれば、必要に応じて前記映像情報及び対応付情報を各音楽再生装置に配信することで、それらの音楽再生装置の負荷を低減できるという利点がある。
【００１１】
また、好適には、前記映像情報対応付手段は、前記複数の映像情報を出力させる年月日を指定する年月日指定手段を含むものである。このようにすれば、必要に応じて前記映像情報及び対応付情報を各音楽再生装置に配信することで、それらの音楽再生装置の負荷を低減できるという利点がある。
【００１２】
また、好適には、前記音楽再生装置及び通信端末と前記通信網を介して接続されるサーバを含み、そのサーバは、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段を含むものである。このようにすれば、前記サーバにより映像情報を集中管理し、各音楽再生装置にその映像情報を適宜配信することで、それらの音楽再生装置の負荷を低減できるという利点がある。
【００１３】
また、好適には、前記音楽再生装置は、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段を含むものである。このようにすれば、複数の音楽再生装置に負荷を分散することで前記映像情報及び対応付情報の入出力の応答性を高められるという利点がある。
【００１４】
【課題を解決するための第２の手段】
また、前記目的を達成するために、本第２発明の要旨とするところは、選択された演奏曲を出力させると共に、その演奏曲の出力に伴ってその演奏曲に応じた映像を背景映像として画像表示装置に表示させる音楽再生装置であって、前記演奏曲を選択するための演奏曲選択手段と、静的又は動的な映像情報を入力するための映像情報入力手段と、顧客を識別するための顧客情報を入力するための顧客情報入力手段と、前記演奏曲選択手段により選択された演奏曲に対して前記映像情報入力手段により入力された複数の映像情報を背景映像として対応付ける映像情報対応付手段と、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段と、前記演奏曲選択手段により選択された演奏曲を出力させる際、その演奏曲に対応付けられ且つ前記顧客情報入力手段により入力された顧客情報に関連付けられた対応付情報が存在する場合にその対応付情報に基づいて前記記憶手段に記憶された複数の映像情報を順次出力させる映像情報出力制御手段とを、含むことを特徴とするものである。
【００１５】
【第２発明の効果】
このようにすれば、前記演奏曲を選択するための演奏曲選択手段と、静的又は動的な映像情報を入力するための映像情報入力手段と、顧客を識別するための顧客情報を入力するための顧客情報入力手段と、前記演奏曲選択手段により選択された演奏曲に対して前記映像情報入力手段により入力された複数の映像情報を背景映像として対応付ける映像情報対応付手段と、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段と、前記演奏曲選択手段により選択された演奏曲を出力させる際、その演奏曲に対応付けられ且つ前記顧客情報入力手段により入力された顧客情報に関連付けられた対応付情報が存在する場合にその対応付情報に基づいて前記記憶手段に記憶された複数の映像情報を順次出力させる映像情報出力制御手段とを、含むことから、可及的に簡便な操作により多様性に富んだ背景映像を設定することができる。すなわち、顧客（ユーザ）の撮影した映像を簡便に且つ嗜好に沿った形で背景映像として供給し得る背景映像供給システムを実現する音楽再生装置を提供することができる。
【００１６】
【課題を解決するための第３の手段】
また、前記課題を解決するために、本第３発明の要旨とするところは、選択された演奏曲を出力させると共に、その演奏曲の出力に伴ってその演奏曲に応じた映像を背景映像として画像表示装置に表示させる音楽再生装置に所定の通信網を介して接続されるサーバであって、前記演奏曲を選択するための演奏曲選択手段と、静的又は動的な映像情報を入力するための映像情報入力手段と、顧客を識別するための顧客情報を入力するための顧客情報入力手段と、前記演奏曲選択手段により選択された演奏曲に対して前記映像情報入力手段により入力された複数の映像情報を背景映像として対応付ける映像情報対応付手段と、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段とを、含むことを特徴とするものである。
【００１７】
【第３発明の効果】
このようにすれば、前記演奏曲を選択するための演奏曲選択手段と、静的又は動的な映像情報を入力するための映像情報入力手段と、顧客を識別するための顧客情報を入力するための顧客情報入力手段と、前記演奏曲選択手段により選択された演奏曲に対して前記映像情報入力手段により入力された複数の映像情報を背景映像として対応付ける映像情報対応付手段と、前記映像情報入力手段により入力された映像情報と、前記映像情報対応付手段により対応付けられた演奏曲と複数の映像情報との対応付情報とを、少なくとも前記顧客情報入力手段により入力された顧客情報と関連付けて記憶する記憶手段とを、含むことから、可及的に簡便な操作により多様性に富んだ背景映像を設定することができる。すなわち、顧客（ユーザ）の撮影した映像を簡便に且つ嗜好に沿った形で背景映像として供給し得る音楽再生装置の背景映像供給システムを実現するサーバを提供することができる。
【００１８】
【第３発明の他の態様】
ここで、好適には、前記映像情報対応付手段は、前記複数の映像情報を出力させる音楽再生装置を有する店舗を指定する店舗指定手段を含むものである。このようにすれば、必要に応じて前記映像情報及び対応付情報を各音楽再生装置に配信することで、それらの音楽再生装置の負荷を低減できるという利点がある。
【００１９】
また、好適には、前記映像情報対応付手段は、前記複数の映像情報を出力させる年月日を指定する年月日指定手段を含むものである。このようにすれば、必要に応じて前記映像情報及び対応付情報を各音楽再生装置に配信することで、それらの音楽再生装置の負荷を低減できるという利点がある。
【００２０】
また、好適には、前記映像情報対応付手段により前記演奏曲に対して複数の映像情報が背景映像として対応付けられた際、新規に対応付けられた場合及び既に対応付けられた前記対応付情報について表示が予定されていた年月日を経過した後にその対応付情報を変更する場合に利用料金を課金する課金手段を含むものである。このようにすれば、新規に対応付情報を設定する場合や、既に設定されている対応付情報について表示が予定されていた年月日を経過した後にその対応付情報を変更する場合には所定の利用料金を課金し、その他の場合、例えば既に設定されている対応付情報について表示が予定されている年月日以前にその対応付情報を変更する場合には利用料金を課金しないことで、合理的な課金が実現できるという利点がある。
【００２１】
【実施例】
以下、本発明の好適な実施例を図面に基づいて詳細に説明する。
【００２２】
図１は、本発明の一実施例である音楽再生装置による背景映像供給システム１０について説明する図である。この図１において、通信端末である多数の携帯電話機１２は、複数の中継基地局１６を介して無線の通信チャンネルに接続され、その複数の中継基地局１６に接続された中央演算処理装置１８によりそれぞれの接続が制御されるようになっている。この中央演算処理装置１８には、プロトコルを翻訳することによりチェックする機能を有するゲートウェイ２０、公衆電話回線、有線放送用ケーブル、又は光ファイバ等による広域通信網（インターネット）２２を介して音楽再生装置である複数のカラオケ装置１４と、背景映像供給サービス提供会社のサーバ２４とが、接続されている。
【００２３】
図２は、上記携帯電話機１２の操作部２６を説明する図であり、（ａ）は開いた様子を、（ｂ）は折り畳んだ様子を示している。この図２に示すように、斯かる携帯電話機１２における折り畳まれることで相対向する１対の面には、入力手段としての１２個の文字入力釦２８、開始釦３０、電源釦３２、左右上下の移動釦３４、メール釦３６、クリア釦３８、決定釦４０、及び画像表示装置として機能する表示部４２が設けられている。また、背面にはレンズ４４が取り付けられており、側部にはシャッタ釦４６が設けられている。
【００２４】
上記文字入力釦２８は、所望する文字を入力するための釦（スイッチ）であり、その文字入力釦２８が押されることにより、また必要に応じて所定の文字変換操作が行われることにより、所望する文字が上記表示部４２に表示される。上記開始釦３０は、電話をかけたりメールを送信したりするための釦であり、上記表示部４２に所定の電話番号が表示されている際にその開始釦３０が押されることにより、その電話番号に電話をかけられる。また、その表示部４２に所定のメールアドレスが表示されている際にその開始釦３０が押されることにより、そのメールアドレスにメールが送信される。上記電源釦３２は、通話を中止したり電源を入れたりするための釦であり、通話中にその電源釦３２が押されることにより、その通話が中止される。また、電源がオフである際にその電源釦３２が押されることにより、電源がオンの状態となる。上記移動釦３４は、上記表示部４２に表示されるカーソルを左右上下に移動させるため等に押される釦である。上記メール釦３６は、メール管理モードに入るため等に押される釦である。上記クリア釦３８は、上記表示部４２に表示された文字を消すため等に押される釦である。上記決定釦４０は、上記表示部４２に表示された内容で各種設定の項目を決定したり、文字変換を決定したりするため等に押される釦である。
【００２５】
図３は、前記携帯電話機１２の構成を説明するブロック線図である。この図３に示す制御部４８は、予めＲＯＭ５０に記憶されたプログラムに従って入力信号を処理し、前述の操作部２６の入力に従って文字入力が実行されるように制御したり、前記操作部２６から入力された電話番号に従って通信或いは通話チャンネルを成立させると共に相互の通信或いは通話が可能となるように制御したり、メールの作成及び送受信の制御を実行したりする。通話状態においては、アンテナ７２ａを介して送受信部５８に受けた通話信号等がモデム部６０を介して音声コーディック部６２においてデジタルコード信号から音声信号に変換され、アナログフロントエンド６４により音声出力器（スピーカ）７０が駆動されて音声が出力される。同時に、マイクロホン６８により音声から変換された音声信号が上記アナログフロントエンド６４を介して上記音声コーディック部６２に送られてそこでデジタル信号に変換され、上記モデム部６０、送受信部５８、及びアンテナ７２ａを介して送信される。また、通信状態において、上記制御部４８は、前記操作部２６から入力された信号を通信先へ送信すると同時に、通信先から受信された信号を前記表示部４２に表示させる。また、他の携帯電話機１２からの着信があったと判定した場合には、予め記憶部（フラッシュＲＯＭ）５２に記憶された着メロデータに基づき、所定の着信メロディーを上記スピーカ７０から出力させるようにメロディー発生器５４を駆動させる。また、前記携帯電話機１２には、前記カラオケ装置１４等へ所定の情報をブルートゥースで出力させるためのブルートゥースモジュール５６及びそのアンテナ７２ｂが備えられている。
【００２６】
また、前記携帯電話機１２は、前記レンズ４４、シャッタ釦４６、及びＣＣＤ６６を備えていることで、静止画や動画を撮像し得る所謂デジタルカメラとしても機能する。すなわち、前記シャッタ釦４６が押されることにより前記レンズ４４を介して映像が取り込まれ、その映像が前記ＣＣＤ６６により映像信号に変換された後、その映像情報が前記記憶部５２に記憶される。そうして撮影された映像情報は、前記表示部４２の背景映像（壁紙）として用いられたり、メールに添付される等して通信先へ送信されたりする。
【００２７】
図４は、前記背景映像供給サービス提供会社のサーバ２４の構成を説明するブロック線図である。この図４に示すように、前記サーバ２４は、前記広域通信網２２に接続されたターミナルアダプタ７４にそれぞれデータバス７６を介して接続された制御手段を構成するところのＣＰＵ７８、ＲＯＭ８０、ＲＡＭ８２、記憶装置（ＨＤＤ）８４等を備えた所謂コンピュータであり、更に、ＣＲＴコントローラ８６により制御される画像表示装置８８、インターフェース９０を介して上記データバス７６に接続されたキーボード９２、最新のカラオケ演奏曲、着メロのデータ等を入力するためのＣＤ−ＲＯＭドライブ９４、及びプリンタ９６を備えている。上記記憶装置８４には、ＭＩＤＩ曲データベース、会員登録用データベース、映像登録用データベース、店舗用データベース、及び対応付情報データベースが設けられている。
【００２８】
上記ＭＩＤＩ曲データベースは、多数のカラオケ演奏曲をＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で格納するデータベースであり、例えば図７に示すように、その曲の選曲番号、曲名、背景画ジャンル、演奏データ、歌詞データ、及び後述する対応付設定データ等が記憶されるようになっている。上記会員登録用データベースは、本実施例の背景映像供給システム１０を利用する顧客（会員）に関する情報を格納するデータベースであり、例えば図８に示すように、その会員の会員ナンバー、氏名、住所、電話番号、パスワード、入会年月日、会員有効年月日、背景映像供給システムの累積利用料金、支払方法・口座番号等が記憶されるようになっている。上記映像登録用データベースは、静的又は動的な映像情報すなわち静止画又は動画である映像データを格納するデータベースであり、例えば図９に示すように、映像情報を入力した会員の会員ナンバー、各会員ナンバーに対応する映像情報の登録ナンバー、及び登録された映像情報が一組になって記憶されるようになっている。上記店舗用データベースは、前記カラオケ装置１４を有する店舗の情報を格納するデータベースであり、例えば図１０に示すように、その店舗の店舗ナンバー、店舗名、その店舗のオーナ名、住所、各種情報の配信先電話番号、及び連絡先電話が記憶されるようになっている。なお、店舗ナンバーは、その店舗に設置されたカラオケ装置１４に対応する番号（情報）であってもよい。上記対応付情報データベースは、演奏曲と複数の映像情報との対応付情報（対応付データ）を顧客情報（会員ナンバー）と関連付けて記憶するものであり、例えば図１１に示すように、映像情報の登録ナンバー、映像情報を入力した会員の会員ナンバー、対応する選曲番号、出力させる店舗名、出力させる年月日、対応付データ、及び送信済フラグが記憶されるようになっている。
【００２９】
図５は、前記カラオケ装置１４の構成を説明するブロック線図である。この図５に示すように、前記カラオケ装置１４は、前記広域通信網２２に接続されたターミナルアダプタ９８にそれぞれデータバス１００を介して接続された制御部を構成するところのＣＰＵ１０２、ＲＯＭ１０４、ＲＡＭ１０６、記憶装置（ＨＤＤ）１０８等を備えた所謂コンピュータであり、カラオケ演奏時には、上記背景映像再生装置１１０により再生されるデフォルトの背景映像又は本実施例の背景映像供給システム１０により供給される背景映像と、上記記憶装置１０８から読み出されてＣＰＵ１０２及びＣＲＴコントローラ１１２により再生された歌詞テロップとが、映像合成装置（ビデオミキサ）１１４により合成されてＣＲＴ等の画像表示装置１１６に表示されるようになっている。また、上記記憶装置１０８から読み出されてＪＰＥＧ／ＭＰＥＧデコーダ１１８により変換されたＪＰＥＧ（Ｊｏｉｎｔ  Ｐｈｏｔｏｇｒａｐｈｉｃ  Ｅｘｐｅｒｔｓ  Ｇｒｏｕｐ）形式又はＭＰＥＧ（Ｍｏｖｉｎｇ  Ｐｉｃｔｕｒｅ  Ｅｘｐｅｒｔｓ  Ｇｒｏｕｐ）形式の映像情報が、上記映像合成装置１１４を介して上記画像表示装置１１６に表示されるようになっている。また、上記記憶装置１０８から読み出されてＭＩＤＩ音源を備えたシンセサイザ１２０により変換された演奏信号がアンプ１２２により増幅され、スピーカ１２４からカラオケ演奏音として出力されるようになっている。入力装置として機能するフロント操作パネル１２６は、前記カラオケ装置１４において演奏する演奏曲の選択をしたり、演奏音の音程を調整したり、演奏曲と歌との音量バランスを調整したり、その他、エコー、音量、トーンなど各種調整を行うための操作ボタン或いはツマミを備えたパネルであり、その操作情報がＩ／Ｏインターフェース１２８を介して前記ＣＰＵ１０２に入力されるようになっている。また、上記フロント操作パネル１２６の機能を遠隔的に実行するために、前記カラオケ装置１４には、フロント操作パネル１２６と同様に入力装置として機能する前記携帯電話機１２からのブルートゥース信号を受けて上記ＣＰＵ１０２へ出力するためのアンテナ１３０及びブルートゥースモジュール１３２を備えている。また、上記記憶装置１０８には、出力待映像データベース及びＭＩＤＩ曲データベースが、上記ＲＡＭ１０６には、予約曲データベースがそれぞれ記憶されている。
【００３０】
上記出力待映像データベースは、前記サーバ２４の記憶装置８４に設けられた映像登録用データベースから読み出されて送られてきた映像情報及び対応付情報データベースから送られてきた対応付情報を格納するデータベースであり、例えば図１２に示すように、映像情報の登録ナンバー、映像情報を入力した会員の会員ナンバー、出力させる年月日、対応する選曲番号、対応付データ、及び背景映像（映像情報）が記憶されるようになっている。上記ＭＩＤＩ曲データベースは、前記サーバ２４の記憶装置８４に設けられたＭＩＤＩ曲データベースと同様に、多数のカラオケ演奏曲をＭＩＤＩ形式で格納するデータベースであり、例えば図１３に示すように、その曲の選曲番号、曲名、デフォルトの背景画ジャンル、演奏データ、及び歌詞データ等が記憶されるようになっている。上記予約曲データベースは、前記フロント操作パネル１２６等から入力された予約曲の選曲番号を格納するデータベースであり、例えば図１４に示すように、その予約曲の選曲番号が演奏順に記憶されるようになっている。
【００３１】
図６は、前記携帯電話機１２の制御部４８、前記カラオケ装置１４のＣＰＵ１０２、及び前記サーバ２４のＣＰＵ７８の制御機能の要部を説明する機能ブロック線図である。この図６に示す演奏曲選択手段１３４は、多数の演奏曲から所望の演奏曲を選択する。すなわち、例えば前記サーバ２４の記憶装置８４に設けられたＭＩＤＩ曲データベースに格納された多数の演奏曲から所望の演奏曲の選曲番号又は曲名を選択する。この演奏曲選択手段１３４により選択される演奏曲は、好適には、前記カラオケ装置１４のＲＡＭ１０６に読み出されることで、そのまま予約曲として前述した図１４に示す予約曲データベースに記憶される。
【００３２】
映像情報入力手段１３６は、所定の入力操作に従って静的又は動的な映像情報を入力する。この映像情報は、ＪＰＥＧ形式の静止画やＭＰＥＧ形式の動画等であり、前記カラオケ装置１４のＪＰＥＧ／ＭＰＥＧデコーダ１１８及び映像合成装置１１４を介して、画像表示装置１１６により出力される。この映像情報としては、静止画と動画とが組み合わされたものも考えられる。また、この映像情報には文字情報が含まれることもあり、斯かる場合には、前記ＣＲＴコントローラ１１２により再生されたその文字情報と、前記ＪＰＥＧ／ＭＰＥＧデコーダ１１８により変換されたＪＰＥＧ形式の静止画やＭＰＥＧ形式の動画等の映像情報とが、前記映像合成装置１１４により合成されて前記画像表示装置１１６に表示される。すなわち、前記カラオケ装置１４の画像表示装置１１６は、上記映像情報を出力するための映像情報出力手段として機能する。
【００３３】
顧客情報入力手段１３８は、ユーザである顧客を識別するための顧客情報を入力する。この顧客情報は、例えば前述した図８に示すように、会員ナンバー、氏名、及び住所等の様々な情報を含むものであるが、ここでは特に会員ナンバー（顧客ＩＤ）を指し、更にパスワードを含むものであってもよい。すなわち、この顧客情報入力手段１３８は、顧客を個々に識別するための会員ナンバー、或いはそれに加えてその会員ナンバー毎に定められるその顧客が本人であるか否かを判断するためのパスワードを、必要に応じて入力する。この入力は、キーボード操作により実行されるものであってもよいし、専用メモリに予め記憶された情報が読み出されるものであってもよい。
【００３４】
映像情報対応付手段１４０は、前記演奏曲選択手段１３４により選択された演奏曲に対して前記映像情報入力手段１３６により入力された複数の映像情報を背景映像として対応付ける。また、上記顧客情報入力手段１３８により入力された顧客情報と対応付情報とを関連付ける。また、好適には、店舗指定手段１４２及び年月日指定手段１４４を含み、前記複数の映像情報を背景映像として出力させる店舗及び年月日等の条件を指定する。すなわち、この映像情報対応付手段１４０は、前記映像情報入力手段１３６により入力された複数の映像情報を背景映像として出力させるための映像情報出力条件である対応付情報を定める。
【００３５】
図１５は、所定の演奏曲の演奏データを説明する図である。この演奏データは、前記演奏曲をＭＩＤＩ音源である前記シンセサイザ１２０により演奏するためのＭＩＤＩデータであり、音質（楽器の種類）及び音程等を含む音楽情報（イベント）と、所定の背景映像を出力させる「フラグ」と、それらの出力を実行する時間情報（タイミング）Δｔとが、組み合わされて構成されている。前記カラオケ装置１４は、斯かる演奏データに基づいて演奏曲を出力させる。
【００３６】
図１５に示すフレーズｆ１  は、タイトル表示及び前奏に相当する楽句であり、先ず、制御１において、演奏が開始された時間後、時間Δｔ１  が経過すると、フラグ１が読み出される。この制御１により、前記画像表示装置１１６にフラグ１に対応する背景映像が表示される。次に、制御２において、時間Δｔ２  が読み出されてその時間Δｔ２  が経過すると、フラグ２が読み出される。この制御２により、前記画像表示装置１１６に表示される背景映像が、フラグ１に対応する映像からフラグ２に対応する映像に切り換えられる。従って、フラグ１に対応する映像は、Δｔ２  が示す時間だけ表示されることになる。このフラグ２に対応する背景映像は、後述するフラグ３が読み出されるまで継続して表示される。次に、制御３において、時間Δｔ３  が読み出されてその時間Δｔ３  が経過すると、イベント１が読み出される。この制御３により、前記シンセサイザ１２０へイベント１に対応する音楽情報が転送され、それによりイベント１に対応する演奏音が前記スピーカ１２４から出力される。同様に、制御４、制御５、制御６、・・・、制御ｍ−１において、それぞれのイベントに対応する演奏音が前記スピーカ１２４から出力され、連続的に出力されるこれらの演奏音により前奏の旋律が形成される。フレーズｆ２  は、上記フレーズｆ１  に続く本演奏に入って最初の楽句であり、先ず、時間Δｔｍ  が読み出されてその時間Δｔｍ  が経過すると、フラグ３が読み出される。この制御ｍにより、前記画像表示装置１１６に表示される背景映像が、フラグ２に対応する映像からフラグ３に対応する映像に切り換えられる。次に、時間Δｔｍ＋１  が読み出されてその時間Δｔｍ＋１  が経過すると、イベントｎが読み出されて前記シンセサイザ１２０へ転送される。この制御ｍ＋１により、前記シンセサイザ１２０を介してイベントｎに対応する演奏音が前記スピーカ１２４から出力されると共に、イベントｎに対応する歌詞テロップが前記ＣＲＴコントローラ１１２により再生されて前記画像表示装置１１６に表示される。同様に、制御ｍ＋２、制御ｍ＋３、・・・において、それぞれのイベントに対応する演奏音が前記スピーカ１２４から出力されると共に、歌詞テロップが前記画像表示装置１１６に表示され、連続的に出力されるこれらの演奏音及び歌詞テロップにより本演奏の旋律及び歌詞文字情報が形成される。こうした制御がフレーズｆ３  、フレーズｆ４  、フレーズｆ５  、・・・、フレーズｆｋ−１  、フレーズｆｋ  について実行されることで、図１５に示す演奏データが与える演奏曲が演奏される。
【００３７】
図１６は、図１５に示す演奏データが与える演奏曲の対応付設定データを説明する図である。この対応付設定データは、前述した各「フラグ」が読み出されたときに出力される映像情報を設定するためのデータであり、各「フラグ」が演奏曲のどの部分に対応するのかを示している。具体的には、図１６に示すように、フラグ１がタイトルに、フラグ２が前奏に、フラグ３が歌詞「♪あなたは・・・」に、・・・、フラグｘが歌詞「♪こわか・・・」に、それぞれ対応していることを示し、この対応付設定データに基づいて、後述する図２５に示す映像の対応付設定画面が表示される。図１７は、そのようにして定められた対応付データ（対応付情報）の一例を示す図であり、前述したように演奏の進行に伴ってフラグ１が読み出されることにより映像データ１が、フラグ２が読み出されることにより映像データ２が、フラグ３が読み出されることにより映像データ３が、・・・、フラグｘが読み出されることにより映像データｘがそれぞれ出力されるように設定されている。
【００３８】
店舗指定手段１４２は、前記複数の映像情報を出力させるカラオケ装置１４を有する店舗を指定する。すなわち、例えば前述した図１０に示すように前記サーバ２４に備えられた記憶装置８４の店舗用データベースに記憶された店舗名又は店舗ナンバーを指定する。この指定は、単一の店舗のみを指定するものであってもよいし、各地に複数の店舗をフランチャイズ・チェーン店として展開するチェーン店名を指定するチェーン店指定、複数の店舗を指定する広域指定、又はある地域（市単位或いは県単位）に存在する店舗を指定する地域指定等であっても構わない。また、逆にある店舗に設置された前記カラオケ装置１４を直接指定する装置指定であってもよい。
【００３９】
年月日指定手段１４４は、前記伝言情報を出力させる年月日（日時）を指定するものであり、ユーザが店舗を訪れて前記カラオケ装置１４を使用する年月日が指定される。この指定の態様としては、出力させる年を自明のものとして月日のみを指定するもの、その年月日における時間帯までも指定するもの、或いは所定の期間に含まれる年月又は年月日を指定する期間指定等が考えられる。
【００４０】
前記映像情報入力手段１３６により入力された映像情報と、前記映像情報対応付手段１４０により指定された条件とは、前記顧客情報入力手段１３８により入力された顧客情報と関連付けられた状態で、例えば前記サーバ２４に備えられた記憶装置８４の映像登録用データベース及び対応付情報用データベースに記憶されてそのサーバ２４により集中管理される。そして、前記広域通信網２２を介して接続された複数のカラオケ装置１４に適宜配信されて、例えば前述した図１２に示すように、前記記憶装置１０８に設けられた出力待映像データベースに記憶される。すなわち、前記サーバ２４に備えられた記憶装置８４は、前記映像情報入力手段１３６により入力された映像情報と、前記映像情報対応付手段１４０により対応付けられた演奏曲と複数の映像情報との対応付情報とを、少なくとも前記顧客情報入力手段１３８により入力された顧客情報と関連付けて記憶する記憶手段として機能する。
【００４１】
映像情報出力制御手段１４６は、前記演奏曲選択手段１３４により選択された演奏曲を出力させる際、その演奏曲に対応付けられた対応付情報が存在する場合にその対応付情報に基づいて複数の映像情報を順次出力させる。また、好適には、前記演奏曲に対応付けられ且つ前記顧客情報入力手段１３８により入力される顧客情報に関連付けられた対応付情報が存在する場合にその対応付情報に基づいて複数の映像情報を順次出力させる。
【００４２】
課金手段１４８は、前記映像情報対応付手段１４０により所定の演奏曲に対して前記複数の映像情報が背景映像として対応付けられた場合に、その対応付けの内容に応じて利用料金を課金する。すなわち、新規に対応付けを行う場合や、既に対応付けられている映像情報について表示が予定されていた年月日を経過した後にその対応付けを変更する場合には所定の利用料金を課金し、その他の場合、例えば既に対応付けられている映像情報について表示が予定されている年月日以前にその対応付けを変更する場合には利用料金を課金しない。この課金手段１４８により課金された利用料金は、前記顧客条件入力手段１３８により入力された顧客情報と関連付けた状態で前記記憶装置８４の会員登録用データベースに記憶される。
【００４３】
図１８乃至２０は、前記携帯電話機１２の制御部４８の制御作動の要部を説明するフローチャートであって、映像情報入力制御ルーチン及び映像情報対応付制御ルーチンを示しており、所定の周期で繰り返し実行されるものである。先ず、図１８に示すステップ（以下、ステップを省略する）ＳＡ１において、前記表示部４２に表示された所定の選択肢のうちから、映像登録サービス（背景映像提供サービス）が選択されたか否かが判断される。このＳＡ１の判断が否定される場合には、図示しないその他の処理が実行されるが、ＳＡ１の判断が肯定される場合には、ＳＡ２において、前記サーバ２４にトップメニュー画面の表示データが要求され、送られてきた表示データに基づき図２１に示すようなトップメニュー画面が表示される。斯かるトップメニュー画面では、「会員登録」、「背景映像の登録」、「登録映像の確認」、「登録曲の確認」、「登録映像の削除」、「登録曲の削除」、及び「会員ナンバーの入力」等の設定が選択できるようになっている。
【００４４】
次に、ＳＡ３において、上記トップメニュー画面にて「会員登録」が選択されたか否かが判断される。このＳＡ３の判断が否定される場合には、ＳＡ９において、上記トップメニュー画面にて「背景映像の登録」が選択されたか否かが判断されるが、ＳＡ３の判断が肯定される場合には、ＳＡ４において、前記サーバ２４に会員登録画面の表示データが要求され、送られてきた表示データに基づき図２２に示すような会員登録画面が表示される。斯かる会員登録画面では、「氏名」、「住所」、「電話番号」、「パスワード」、及び「支払方法」が入力できると共に、「登録」又は「中止」が選択できるようになっている。そして、ＳＡ５において、登録が行われたか否かが判断される。このＳＡ５の判断が否定される場合、すなわち上記会員登録画面にて「中止」が選択された場合には、ＳＡ８において、上記トップメニュー画面が表示された後、ＳＡ３以下が再び実行されるが、ＳＡ５の判断が肯定される場合、すなわち上記会員登録画面にて全ての項目が埋められ且つ「登録」が選択された場合には、ＳＡ６において、その登録データが前記サーバ２４に送信され、ＳＡ７において、そのサーバ２４から折り返し送られてきた表示データに基づき会員登録が完了した旨の画面が表示される。そして、ＳＡ８において、上記トップメニュー画面が表示された後、ＳＡ３以下が再び実行される。以上のＳＡ４乃至ＳＡ６が、前記顧客情報入力手段１３８に対応する。
【００４５】
ＳＡ９の判断が否定される場合、すなわち前記トップメニュー画面にて「背景映像の登録」が選択されなかったと判断される場合には、図１９に示すＳＡ２６において、上記トップメニュー画面にて「登録映像の削除」又は「登録曲の削除」が選択されたか否かが判断されるが、ＳＡ９の判断が肯定される場合、すなわち前記トップメニュー画面にて「背景映像の登録」が選択されたと判断される場合には、ＳＡ１０において、前記サーバ２４に映像の登録画面の表示データが要求され、送られてきた表示データに基づき例えば図２３に示すような映像の登録画面が表示される。斯かる映像の登録画面では、「会員ナンバー」及び「パスワード」が入力でき、「登録」又は「中止」が選択できると共に、ＪＰＥＧファイル等の静止画像やＭＰＥＧファイル等の動画像といった画像ファイルが添付（貼り付け）できるようになっている。ここに添付される画像ファイルが前記映像情報に対応する。そして、ＳＡ１１において、登録が中止されたか否か、すなわち上記映像の登録画面にて「中止」が選択されたか否かが判断される。このＳＡ１１の判断が肯定される場合には、ＳＡ８において、前記トップメニュー画面が表示された後、ＳＡ３以下が再び実行されるが、ＳＡ１１の判断が否定される場合には、ＳＡ１２において、上記映像の登録画面にて全ての項目が埋められ且つ「登録」が選択されたか否かが判断される。このＳＡ１２の判断が否定される場合には、上述したＳＡ１１以下が再び実行されるが、ＳＡ１２の判断が肯定される場合には、ＳＡ１３において、その映像情報及び会員ナンバー等が前記サーバ２４に送信された後、図１９に示すＳＡ１４において、その登録にエラーがあるか否かが判断される。以上のＳＡ１０乃至ＳＡ１３が、前記映像情報入力手段１３６に対応する。
【００４６】
ＳＡ１４の判断が肯定される場合、すなわち前記サーバ２４に送信された登録データにエラーがあるとそのサーバ２４において判断された場合には、折り返し送られてきた表示データに基づき図示しないエラー通知画面にてその旨が表示され、ＳＡ８において、前記トップメニュー画面が表示された後、ＳＡ３以下が再び実行されるが、ＳＡ１４の判断が否定される場合、すなわち前記サーバ２４から登録通知画面の表示データが送られてきてそのサーバ２４に送信された登録データにエラーがないと判断された場合には、ＳＡ１５において、前記サーバ２４から送られてきた登録通知画面の表示データに基づき図２４に示すような登録通知画面が表示される。斯かる登録通知画面では、登録された映像情報を個々に識別するための「映像登録番号」が表示されると共に、それらの映像情報を背景映像として使用する対象となる演奏曲（選曲番号）を選択できるようになっている。また、「登録」又は「中止」が選択できるようになっている。そして、ＳＡ１６において、登録が中止されたか否か、すなわち上記登録通知画面にて「中止」が選択されたか否かが判断される。このＳＡ１６の判断が肯定される場合には、ＳＡ８において、前記トップメニュー画面が表示された後、ＳＡ３以下が再び実行されるが、ＳＡ１６の判断が否定される場合には、ＳＡ１７において、上記登録通知画面にて全ての項目が埋められ且つ「送信」が選択されたか否かが判断される。このＳＡ１７の判断が否定される場合には、上述したＳＡ１６以下が再び実行されるが、ＳＡ１７の判断が肯定される場合には、ＳＡ１８において、その演奏曲の選曲番号が会員ナンバーと共に前記サーバ２４に送信され、ＳＡ１９において、その登録にエラーがあるか否かが前記サーバ２４からの通知に基づいて判断される。以上のＳＡ１５乃至ＳＡ１８が、前記演奏曲選択手段１３４に対応する。
【００４７】
ＳＡ１９の判断が肯定される場合、すなわち前記サーバ２４に送信された登録データにエラーがあるとそのサーバ２４において判断された場合には、折り返し送られてきた表示データに基づき図示しないエラー通知画面にてその旨が表示され、ＳＡ８において、前記トップメニュー画面が表示された後、ＳＡ３以下が再び実行されるが、ＳＡ１９の判断が否定される場合、すなわち前記サーバ２４から対応付設定画面の表示データが送られてきて、前記サーバ２４に送信された登録データにエラーがないとそのサーバ２４において判断された場合には、ＳＡ２０において、前記サーバ２４から送られてきた映像の対応付設定画面の表示データに基づき図２５に示すような映像の対応付設定画面が表示される。斯かる映像の対応付設定画面では、前述した図１６に示す対応付設定データに基づいて「タイトル」、「前奏」、「♪あなたは・・・」、「♪忘れた・・・」、・・・、「間奏」、・・・「♪こわか・・・」というように区分された各フレーズが表示され、その区分された各フレーズ毎に映像情報を対応付けられると共に、その演奏曲を出力させる「カラオケ店（店舗）」及び「年月日（日時）」が指定できるようになっている。また、「登録」又は「中止」が選択できるようになっている。そして、ＳＡ２１において、設定が中止されたか否か、すなわち上記映像の対応付設定画面にて「中止」が選択されたか否かが判断される。このＳＡ２１の判断が肯定される場合には、ＳＡ８において、前記トップメニュー画面が表示された後、ＳＡ３以下が再び実行されるが、ＳＡ２１の判断が否定される場合には、ＳＡ２２において、上記映像の対応付設定画面にて各フレーズに対応する映像登録番号が入力されたか否かが判断される。このＳＡ２２の判断が否定される場合には、ＳＡ２４において、「登録」が選択されたか否かが判断されるが、ＳＡ２２の判断が肯定される場合には、ＳＡ２３において、新たに対応付けられた映像登録番号が会員ナンバーと共に前記サーバ２４に送信されてその映像登録番号に対応する映像情報が要求され、送られてきた映像情報に基づいて上記映像の対応付設定画面にそれらの映像が簡易表示された後、ＳＡ２４において、「登録」が選択されたか否かが判断される。このＳＡ２４の判断が否定される場合には、上述したＳＡ２１以下が再び実行されるが、ＳＡ２４の判断が肯定される場合には、ＳＡ２５において、その演奏曲の選曲番号及び設定された対応付情報等が会員ナンバーと共に前記サーバ２４に送信された後、ＳＡ８において、前記トップメニュー画面が表示されて、ＳＡ３以下が再び実行される。このように、本実施例では、映像登録番号が入力されると、その映像登録番号に対応する映像情報が前記サーバ２４に要求されて表示部４２に表示されるので、演奏曲に対応付ける映像を容易に確認することができる。
【００４８】
ＳＡ２６の判断が否定される場合、すなわち前記トップメニュー画面にて「登録映像の削除」又は「登録曲の削除」が選択されなかったと判断される場合には、図２０に示すＳＡ３１において、前記トップメニュー画面にて「登録曲の確認」が選択されたか否かが判断されるが、ＳＡ２６の判断が肯定される場合、すなわち前記トップメニュー画面にて「登録映像の削除」又は「登録曲の削除」が選択されたと判断される場合には、ＳＡ２７において、前記サーバ２４に登録映像の削除画面又は登録曲の削除画面の表示データが要求され、送られてきた表示データに基づき例えば図２６に示す登録映像の削除画面又は図２７に示す登録曲の削除画面が表示される。斯かる登録映像の削除画面では、「映像登録番号」、「会員ナンバー」、及び「パスワード」が入力できると共に、「削除」又は「中止」が選択できるようになっている。登録曲の削除画面では、「選曲番号」、「会員ナンバー」、及び「パスワード」が入力できると共に、「削除」又は「中止」が選択できるようになっている。そして、ＳＡ２８において、登録が中止されたか否か、すなわち上記登録映像の削除画面又は登録曲の削除画面にて「中止」が選択されたか否かが判断される。このＳＡ２８の判断が肯定される場合には、ＳＡ８において、前記トップメニュー画面が表示された後、ＳＡ３以下が再び実行されるが、ＳＡ２８の判断が否定される場合には、ＳＡ２９において、上記登録映像の削除画面又は登録曲の削除画面にて全ての項目が埋められ且つ「削除」が選択されたか否かが判断される。このＳＡ２９の判断が否定される場合には、上述したＳＡ２８以下が再び実行されるが、ＳＡ２９の判断が肯定される場合には、ＳＡ３０において、削除される映像情報の映像登録番号又は演奏曲の選曲番号、会員ナンバー、及びパスワードが前記サーバ２４に送信された後、ＳＡ８において、前記トップメニュー画面が表示されて、ＳＡ３以下が再び実行される。
【００４９】
ＳＡ３１の判断が否定される場合、すなわち前記トップメニュー画面にて「登録曲の確認」が選択されなかったと判断される場合には、ＳＡ４２において、前記トップメニュー画面にて「会員ナンバーの入力」が選択されたか否かが判断されるが、ＳＡ３１の判断が肯定される場合、すなわち前記トップメニュー画面にて「登録曲の確認」が選択されたと判断される場合には、ＳＡ３２において、前記サーバ２４に登録曲の確認画面の表示データが要求され、送られてきた表示データに基づき例えば図２８に示すような登録曲の確認画面が表示される。斯かる登録曲の確認画面では、「選曲番号」、「会員ナンバー」、及び「パスワード」が入力できると共に、「送信」又は「中止」が選択できるようになっている。そして、ＳＡ３３において、登録が中止されたか否か、すなわち上記登録曲の確認画面にて「中止」が選択されたか否かが判断される。このＳＡ３３の判断が肯定される場合には、ＳＡ８において、前記トップメニュー画面が表示された後、ＳＡ３以下が再び実行されるが、ＳＡ３３の判断が否定される場合には、ＳＡ３４において、上記登録曲の確認画面にて全ての項目が埋められ且つ「送信」が選択されたか否かが判断される。このＳＡ３４の判断が否定される場合には、上述したＳＡ３３以下が再び実行されるが、ＳＡ３４の判断が肯定される場合には、ＳＡ３５において、演奏曲の選曲番号、会員ナンバー、及びパスワードが前記サーバ２４に送信され、ＳＡ３６において、前記サーバ２４からエラーデータが送られてきたか否かが判断される。
【００５０】
ＳＡ３６の判断が肯定される場合には、ＳＡ３７において、前記サーバ２４から送られてきたエラーデータが表示され、ＳＡ８において、前記トップメニュー画面が表示された後、ＳＡ３以下が再び実行されるが、ＳＡ３６の判断が否定される場合には、ＳＡ３８において、前記サーバ２４から送られてきた表示データに基づき図２９に示すような登録曲の対応付確認画面が表示される。斯かる登録曲の対応付確認画面では、対応付情報用データベースに記憶された図１７に示す対応付データに基づいて「タイトル」、「前奏」、「♪あなたは・・・」、「♪忘れた・・・」、・・・、「間奏」、・・・「♪こわか・・・」というように区分された各フレーズが表示され、その区分された各フレーズ毎にその時点で対応付けられている映像登録番号が表示されると共に、その演奏曲を出力させる「カラオケ店（店舗）」及び「年月日（日時）」が対応付データに基づいて表示されるようになっている。すなわち、その時点で設定されて対応付情報用データベースに記憶されている対応付情報等の変更を入力できるようになっている。また、その際に映像登録用データベースから映像登録番号に対応する映像情報が読み出されて表示されるようになっており、「登録」又は「中止」が選択できるようになっている。そして、ＳＡ３９において、設定が中止されたか否か、すなわち上記登録曲の対応付確認画面にて「中止」が選択されたか否かが判断される。このＳＡ３９の判断が肯定される場合には、ＳＡ８において、前記トップメニュー画面が表示された後、ＳＡ３以下が再び実行されるが、ＳＡ３９の判断が否定される場合には、ＳＡ４０において、上記登録曲の対応付確認画面にて「登録」が選択されたか否かが判断される。このＳＡ４０の判断が否定される場合には、上述したＳＡ３９以下が再び実行されるが、ＳＡ４０の判断が肯定される場合には、ＳＡ４１において、その演奏曲の選曲番号及び設定された対応付情報等が会員ナンバーと共に前記サーバ２４に送信された後、ＳＡ８において、前記トップメニュー画面が表示されて、ＳＡ３以下が再び実行される。以上のＳＡ２０乃至ＳＡ２５、ＳＡ３８乃至ＳＡ４１が、前記映像情報対応付手段１４０、前記店舗指定手段１４２、及び年月日指定手段１４４に対応する。
【００５１】
ＳＡ４２の判断が否定される場合、すなわち前記トップメニュー画面にて「会員ナンバーの入力」が選択されなかったと判断される場合には、ＳＡ４７において、前記サーバ２４からエラーデータが送られてきたか否かが判断されるが、ＳＡ４２の判断が肯定される場合、すなわち前記トップメニュー画面にて「会員ナンバーの入力」が選択されたと判断される場合には、ＳＡ４３において、前記サーバ２４に会員ナンバーの入力画面の表示データが要求され、送られてきた表示データに基づき例えば図３０に示すような会員ナンバーの入力画面が表示される。この「会員ナンバーの入力」は、会員が例えばカラオケボックスにおいてカラオケを楽しもうとしているときに選択される。斯かる会員ナンバーの入力画面では、「会員ナンバー」が入力できると共に、「送信」又は「中止」が選択できるようになっている。そして、ＳＡ４４において、入力が中止されたか否か、すなわち上記会員ナンバーの入力画面にて「中止」が選択されたか否かが判断される。このＳＡ４４の判断が肯定される場合には、ＳＡ８において、前記トップメニュー画面が表示された後、ＳＡ３以下が再び実行されるが、ＳＡ４４の判断が否定される場合には、ＳＡ４５において、上記会員ナンバーの入力画面にて「会員ナンバー」が入力されたうえで「送信」が選択されたか否かが判断される。このＳＡ４５の判断が否定される場合には、上述したＳＡ４４以下が再び実行されるが、ＳＡ４５の判断が肯定される場合には、ＳＡ４６において、その会員ナンバーが前記ブルートゥースモジュール１３２を介してその時点で会員が使用している前記カラオケ装置１４に送信された後、ＳＡ８において、前記トップメニュー画面が表示されて、ＳＡ３以下が再び実行される。以上のＳＡ４３乃至ＳＡ４６も、前述したＳＡ４乃至ＳＡ６と同様に、前記顧客情報入力手段１３８に対応する。ＳＡ４７の判断が否定される場合、すなわち前記サーバ２４からエラーデータが送られてきていないと判断される場合には、ＳＡ４９において、前記トップメニュー画面にて「登録映像の確認」が選択されたか否かが判断されるが、ＳＡ４７の判断が肯定される場合、すなわち前記サーバ２４からエラーデータが送られてきたと判断される場合には、ＳＡ４８において、前記サーバ２４から送られてきたエラーデータが表示された後、ＳＡ４９において、前記トップメニュー画面にて「登録映像の確認」が選択されたか否かが判断される。
【００５２】
ＳＡ４９の判断が否定される場合には、ＳＡ５７において、映像登録サービス終了であるか否かが判断されるが、ＳＡ４９の判断が肯定される場合には、ＳＡ５０において、前記サーバ２４に登録映像の確認画面の表示データが要求され、送られてきた表示データに基づき例えば図３１に示すような登録映像の確認画面が表示される。斯かる登録映像の確認画面では、「映像登録番号」、「会員ナンバー」、及び「パスワード」が入力できると共に、「送信」又は「中止」が選択できるようになっている。そして、ＳＡ５１において、登録が中止されたか否か、すなわち上記登録映像の確認画面にて「中止」が選択されたか否かが判断される。このＳＡ５１の判断が肯定される場合には、ＳＡ８において、前記トップメニュー画面が表示された後、ＳＡ３以下が再び実行されるが、ＳＡ５１の判断が否定される場合には、ＳＡ５２において、上記登録映像の確認画面にて全ての項目が埋められ且つ「送信」が選択されたか否かが判断される。このＳＡ５２の判断が否定される場合には、上述したＳＡ５１以下が再び実行されるが、ＳＡ５２の判断が肯定される場合には、ＳＡ５３において、映像登録番号、会員ナンバー、及びパスワードが前記サーバ２４に送信され、ＳＡ５４において、前記サーバ２４からエラーデータが送られてきたか否かが判断される。このＳＡ５４の判断が肯定される場合には、ＳＡ５５において、前記サーバ２４から送られてきたエラーデータが表示された後、ＳＡ５７において、映像登録サービス終了であるか否かが判断されるが、ＳＡ５４の判断が否定される場合には、ＳＡ５６において、前記サーバ２４から送られてきた表示データに基づいて、登録されている映像情報及びその映像情報の映像登録番号が表示された後、ＳＡ５７において、映像登録サービス終了であるか否かが判断される。このＳＡ５７の判断が否定される場合には、前述したＳＡ３以下が再び実行されるが、ＳＡ５７の判断が肯定される場合には、それをもって本ルーチンが終了させられる。
【００５３】
図３２及び３３は、前記サーバ２４のＣＰＵ７８の制御作動の要部を説明するフローチャートであって、映像情報入力制御ルーチン及び映像情報対応付制御ルーチンを示しており、所定の周期で繰り返し実行されるものである。先ず、図３２に示すＳＢ１において、前記携帯電話機１２から会員登録データが送られてきたか否かが判断される。このＳＢ１の判断が否定される場合には、ＳＢ４において、前記携帯電話機１２から背景映像（映像情報）の登録データが送られてきたか否かが判断されるが、前記携帯電話機１２においてＳＡ６が実行されてＳＢ１の判断が肯定される場合には、前記顧客条件入力手段１３８に対応するＳＢ２において、送られてきた会員登録データが前述した図８に示すような会員登録用データベースに記憶され、ＳＢ３において、前記携帯電話機１２へ登録された会員ナンバーを含む登録確認データが送られた後、ＳＢ４において、前記携帯電話機１２から背景映像の登録データが送られてきたか否かが判断される。
【００５４】
ＳＢ４の判断が否定される場合、すなわち前記携帯電話機１２から背景映像の登録データが送られてきていないと判断される場合には、ＳＢ９において、前記携帯電話機１２から対応付設定データの要求が送られてきたか否かが判断されるが、ＳＢ４の判断が肯定される場合、すなわち前記携帯電話機１２においてＳＡ１３が実行されてその携帯電話機１２から背景映像の登録データが送られてきたと判断される場合には、ＳＢ５において、送られてきた会員ナンバー及びパスワードは正しいか否かが判断される。このＳＢ５の判断が肯定される場合には、前記映像情報入力手段１３６に対応するＳＢ６において、前記携帯電話機１２から送られてきた各背景映像（映像情報）に登録番号が付されて前述した図９に示すような映像登録用データベースに会員ナンバー別に記憶され、ＳＢ７において、前記携帯電話機１２に映像登録番号を通知する表示データが送られ、これにより前記携帯電話機１２の表示部４２に図２４に示すような登録通知画面が表示された後、ＳＢ９において、前記携帯電話機１２から対応付設定データの要求が送られてきたか否かが判断されるが、ＳＢ５の判断が否定される場合には、ＳＢ８において、所定のエラーメッセージの表示データが前記携帯電話機１２に送られた後、ＳＢ９において、前記携帯電話機１２から対応付設定データの要求が送られてきたか否かが判断される。
【００５５】
ＳＢ９の判断が否定される場合、すなわち前記携帯電話機１２から対応付設定データの要求が送られてきていないと判断される場合には、ＳＢ１１において、前記携帯電話機１２から対応付情報（対応付データ）の登録データが送られてきたか否かが判断されるが、ＳＢ９の判断が肯定される場合、すなわち前記携帯電話機１２においてＳＡ１８が実行されてその携帯電話機１２から対応付設定データの要求が送られてきたと判断される場合には、ＳＢ１０において、前記携帯電話機１２から送られてきた選曲番号の対応付設定データが前述した図７に示すＭＩＤＩ曲データベースから読み出されてその携帯電話機１２へ送られ、それによりその携帯電話機１２の表示部４２に図２５に示すような映像登録の対応付設定画面が表示された後、ＳＢ１１において、前記携帯電話機１２から対応付情報の登録データが送られてきたか否かが判断される。このＳＢ１１の判断が否定される場合には、ＳＢ１６において、前記携帯電話機１２から登録映像の確認の要求が送られてきたか否かが判断されるが、前記携帯電話機１２においてＳＡ２５が実行されてＳＢ１１の判断が肯定される場合には、前記映像情報対応付手段１４０、店舗指定手段１４２、及び年月日指定手段１４４に対応するＳＢ１２において、その携帯電話機１２から送られてきた対応付データ等が会員ナンバーと関連付けられて前述した図１１に示すような対応付情報用データベースに記憶された後、ＳＢ１３において、その登録データが登録対応付データの変更であるか否かが判断される。このＳＢ１３の判断が否定される場合、すなわち新規対応付データの登録であると判断される場合には、ＳＢ１５において、前述した図８に示す会員登録用データベースにその登録に伴って発生する利用料金が加算されて記憶された後、ＳＢ１６において、前記携帯電話機１２から登録映像の確認の要求が送られてきたか否かが判断されるが、ＳＢ１３の判断が否定される場合、すなわち既に登録された対応付情報の変更であると判断される場合には、ＳＢ１４において、対応付情報用データベースに記憶されたところの、出力される予定であった「年月日（日時）」が経過した後の変更であるか否かが判断される。このＳＢ１４の判断が否定される場合には、ＳＢ１６において、前記携帯電話機１２から登録映像の確認の要求が送られてきたか否かが判断されるが、ＳＢ１４の判断が肯定される場合には、ＳＢ１５において、前述した図８に示す会員登録用データベースにその登録に伴って発生する利用料金が加算されて記憶された後、ＳＢ１６において、前記携帯電話機１２から登録映像の確認の要求が送られてきたか否かが判断される。以上のＳＢ１０及びＳＢ１２が、前記演奏曲選択手段１３４に対応する。
【００５６】
ＳＢ１６の判断が否定される場合、すなわち前記携帯電話機１２から登録映像の確認の要求が送られてきていないと判断される場合には、図３３に示すＳＢ２０において、登録曲の確認の要求が送られてきているか否かが判断されるが、ＳＢ１６の判断が肯定される場合、すなわち前記携帯電話機１２においてＳＡ２３が実行されてその携帯電話機１２から登録映像の確認の要求が送られてきたと判断される場合には、ＳＢ１７において、送られてきたパスワードが正しいか否かが判断される。このＳＢ１７の判断が肯定される場合には、ＳＢ１８において、前記携帯電話機１２から送られてきた会員ナンバー及び登録番号に対応する背景映像が前述した図９に示す映像登録用データベースから読み出されてその携帯電話機１２に送られた後、ＳＢ２０において、登録曲の確認の要求が送られてきているか否かが判断されるが、ＳＢ１７の判断が否定される場合には、ＳＢ１９において、所定のエラーメッセージの表示データが前記携帯電話機１２に送られた後、ＳＢ２０において、登録曲の確認の要求が送られてきているか否かが判断される。
【００５７】
ＳＢ２０の判断が否定される場合には、ＳＢ２４において、各カラオケ装置１４に配信すべきデータがあるか否かが判断されるが、前記携帯電話機１２においてＳＡ３５が実行されてＳＢ２０の判断が肯定される場合には、ＳＢ２１において、送られてきたパスワードが正しいか否かが判断される。このＳＢ２１の判断が肯定される場合には、ＳＢ２２において、前記携帯電話機１２から送られてきた会員ナンバー及び選曲番号に対応する対応付情報等が前述した図１１に示す対応付情報用データベースから読み出されてその携帯電話機１２に送られ、それによりその携帯電話機１２の表示部４２に図２９に示すような登録曲の対応付確認画面が表示された後、ＳＢ２４において、各カラオケ装置１４に配信すべきデータがあるか否かが判断されるが、ＳＢ２１の判断が否定される場合には、ＳＢ２３において、所定のエラーメッセージの表示データが前記携帯電話機１２に送られた後、ＳＢ２４において、各カラオケ装置１４に配信すべきデータがあるか否かが判断される。
【００５８】
ＳＢ２４の判断が否定される場合には、ＳＢ２７において、前記携帯電話機１２から所定の表示データの要求が送られてきたか否かが判断されるが、ＳＢ２４の判断が肯定される場合には、ＳＢ２５において、前述した図１１に示す対応付情報用データベースが検索され、送信済フラグが未だ送信済になっていない対応付データ及び関連する背景映像等がその対応付データにて指定された店舗名又は店舗ナンバーに対応するカラオケ店に設置された前記カラオケ装置１４に送られる。ここで、配信されるデータは、各カラオケ店に備えられたホームサーバに送られても構わない。そして、ＳＢ２６において、未配信の曲情報（新譜情報）が各カラオケ装置１４に配信された後、ＳＢ２７において、前記携帯電話機１２から所定の表示データの要求が送られてきているか否かが判断される。ＳＢ２７の判断が否定される場合には、ＳＢ２９において、前記携帯電話機１２から背景映像又は対応付データの削除の要求が送られてきたか否かが判断されるが、前記携帯電話機１２においてＳＡ２、ＳＡ４、ＳＡ１０、ＳＡ２７、ＳＡ３２、ＳＡ４３、又はＳＡ５０が実行されてＳＢ２７の判断が肯定される場合、ＳＢ２８において、その要求された表示データが前記携帯電話機１２に送られた後、ＳＢ２９において、前記携帯電話機１２から背景映像又は対応付データの削除の要求が送られてきたか否かが判断される。
【００５９】
ＳＢ２９の判断が否定される場合、すなわち前記携帯電話機１２から背景映像又は対応付データの削除の要求が送られてきていないと判断される場合には、ＳＢ３３において、月末（料金請求時期）であるか否かが判断されるが、前記携帯電話機１２においてＳＡ３０が実行されてＳＢ２９の判断が肯定される場合、すなわち前記携帯電話機１２から背景映像又は対応付データの削除の要求が送られてきたと判断される場合には、ＳＢ３０において、送られてきたパスワードが正しいか否かが判断される。このＳＢ３０の判断が肯定される場合には、ＳＢ３１において、前記携帯電話機１２から送られてきた会員ナンバー及び映像登録番号に対応する背景映像が前述した図９に示す映像登録用データベースから消去され、又は送られてきた会員ナンバー及び選曲番号に対応する対応付データが前述した図１１に示す対応付情報用データベースから消去された後、ＳＢ３３において、月末であるか否かが判断されるが、ＳＢ３０の判断が否定される場合には、ＳＢ３２において、所定のエラーメッセージの表示データが前記携帯電話機１２に送られた後、ＳＢ３３において、月末であるか否かが判断される。ＳＢ３３の判断が否定される場合には、それをもって本ルーチンが終了させられるが、ＳＢ３３の判断が肯定される場合には、ＳＢ３４において、前述した図８に示す会員登録用データベースに記憶された各会員の累積利用料金が読み出されて各会員にその月の利用料金が請求されると共に、累積利用料金がクリアされた後、本ルーチンが終了させられる。以上のＳＢ１４、ＳＢ１５、及びＳＢ３４が、前記課金手段１４８に対応する。
【００６０】
図３４は、前記カラオケ装置１４のＣＰＵ１０２の制御作動の要部を説明するフローチャートであって、映像情報出力制御ルーチンを示しており、所定の周期で繰り返し実行されるものである。先ず、図３４に示すＳＣ１において、選曲キーが押されたか否かが判断される。このＳＣ１の判断が否定される場合には、ＳＣ９において、カラオケ演奏が終了したか否かが判断されるが、ＳＣ１の判断が肯定される場合には、ＳＣ２において、入力された選曲番号が前述した図１４に示す予約曲データベースに予約曲として記憶された後、ＳＣ３において、カラオケ演奏中であるか否かが判断される。このＳＣ３の判断が肯定される場合には、ＳＣ１以下が再び実行されるが、ＳＣ３の判断が否定される場合には、ＳＣ４において、新譜情報の表示及びＢＧＭ演奏が中止させられた後、ＳＣ５において、前記ＲＡＭ１０６又は記憶装置１０８に記憶された会員ナンバーがあるか否かが判断される。このＳＣ５の判断が否定される場合には、ＳＣ８において、前述した図１４に示す予約曲データベースの演奏順番に従い予約曲の演奏処理が実行されると共に、曲の進行に伴って前述した図７に示すＭＩＤＩ曲データベースに定められた背景画ジャンルに基づいたデフォルトの背景映像が再生された後、本ルーチンが終了させられるが、ＳＣ５の判断が肯定される場合には、ＳＣ６において、会員により登録された背景映像すなわち前記ＲＡＭ１０６又は記憶装置１０８に記憶された会員ナンバーに対応する映像情報があるか否かが判断される。このＳＣ６の判断が否定される場合には、ＳＣ８において、前述した図１４に示す予約曲データベースの演奏順番に従い予約曲の演奏処理が実行されると共に、曲の進行に伴って前述した図７に示すＭＩＤＩ曲データベースに定められた背景画ジャンルに基づいたデフォルトの背景映像が再生された後、本ルーチンが終了させられるが、後述するＳＣ１８において会員ナンバーが記憶されてＳＣ６の判断が肯定される場合には、前記映像情報出力制御手段１４６に対応するＳＣ７において、前述した図１４に示す予約曲データベースの演奏順番に従い予約曲の演奏処理が実行されると共に、曲の進行に伴って前述した図１２に示す出力待映像データベースから読み出された対応付データに基づいて会員により登録された映像情報が出力され、例えば演奏曲のタイトル表示時に図３５に示すような背景映像が前記画像表示装置１１６に表示された後、本ルーチンが終了させられる。なお、ＳＣ７の処理の詳細は、後述する図３９に示す制御と同様である。
【００６１】
ＳＣ９の判断が否定される場合、すなわちカラオケ演奏が終了していないと判断される場合には、ＳＣ１３において、前記サーバ２４からの曲情報或いは映像情報等の転送（ダウンロード）が実行されているか否かが判断されるが、ＳＣ９の判断が肯定される場合には、ＳＣ１０において、カラオケ演奏の終了した演奏曲の選曲番号等が演奏実績として前記記憶装置１０８に記憶された後、ＳＣ１１において、前述した図１４に示す予約曲データベースに予約曲が記憶されているか否かが判断される。このＳＣ１１の判断が肯定される場合には、前述したＳＣ５以下が再び実行されるが、ＳＣ１１の判断が否定される場合には、ＳＣ１２において、前記画像表示装置１１６に新譜情報が表示されてＢＧＭ演奏が実行された後、ＳＣ１３において、前記サーバ２４からの曲情報或いは映像情報等の転送が実行されているか否かが判断される。
【００６２】
ＳＣ１３の判断が否定される場合、すなわち前記サーバ２４からの曲情報或いは映像情報等の転送（ダウンロード）が実行されていないと判断される場合には、ＳＣ１５において、カラオケ演奏中であるか否かが判断されるが、ＳＣ１３の判断が肯定される場合、すなわち前記サーバ２４からの曲情報或いは映像情報等の転送が実行されていると判断される場合には、ＳＣ１４において、転送されてきた曲情報或いは映像情報等が前記記憶装置１０８のＭＩＤＩ曲データベース或いは出力待映像データベースに記憶された後、ＳＣ１５において、カラオケ演奏中であるか否かが判断される。このＳＣ１５の判断が肯定される場合には、ＳＣ１７において、前記ブルートゥースモジュール１３２からの入力が行われたか否かが判断されるが、ＳＣ１５の判断が否定される場合には、ＳＣ１６において、曲間情報が表示されているか否かが判断される。このＳＣ１６の判断が否定される場合には、前述したＳＣ１２以下が再び実行されるが、ＳＣ１６の判断が肯定される場合には、ＳＣ１７において、前記ブルートゥースモジュール１３２からの入力が行われたか否かが判断される。このＳＣ１７の判断が否定される場合には、ＳＣ１９において、所定の退室操作が実行されたか否かが判断されるが、前記携帯電話機１２においてＳＡ４６が実行されてＳＣ１７の判断が肯定される場合には、前記顧客情報入力手段１３８に対応するＳＣ１８において、前記ブルートゥースモジュール１３２から入力された会員ナンバーが前記ＲＡＭ１０６又は記憶装置１０８に記憶された後、ＳＣ１９において、所定の退室操作が実行されたか否かが判断される。このＳＣ１９の判断が否定される場合には、ＳＣ２１において、前記記憶装置１０８の出力待映像データベース内に出力が予定される年月日が既に経過した映像情報及び対応付情報が格納されているか否かが判断されるが、例えば、カラオケボックスの従業員（ショップ）が利用者の退室に伴って前記カラオケ装置１４において特殊な操作を行うことでＳＣ１９の判断が肯定される場合には、ＳＣ２０において、前記ＲＡＭ１０６又は記憶装置１０８に記憶されている会員ナンバー及び予約曲の選曲番号が消去された後、ＳＣ２１において、前記記憶装置１０８の出力待映像データベース内に出力が予定される年月日が既に経過した映像情報及び対応付情報が格納されているか否かが判断される。このＳＣ２１の判断が否定される場合には、それをもって本ルーチンが終了させられるが、ＳＣ２１の判断が肯定される場合には、ＳＣ２２において、削除すべき映像情報及び対応付情報すなわち表示が予定される年月日が既に経過した映像情報及び対応付情報が前記記憶装置１０８の出力待映像データベースから消去された後、本ルーチンが終了させられる。
【００６３】
このように、本実施例によれば、通信端末である前記携帯電話機１２は、前記演奏曲を選択するための演奏曲選択手段１３４（ＳＡ１５乃至ＳＡ１８）と、静的又は動的な映像情報を入力するための映像情報入力手段１３６（ＳＡ１０乃至ＳＡ１３）と、前記演奏曲選択手段１３４により選択された演奏曲に対して前記映像情報入力手段１３６により入力された複数の映像情報を背景映像として対応付ける映像情報対応付手段１４０（ＳＡ２０乃至ＳＡ２５、ＳＡ３８乃至ＳＡ４１）とを、含むものであり、音楽再生装置である前記カラオケ装置１４は、前記演奏曲選択手段１３４により選択された演奏曲を出力させる際、その演奏曲に対応付けられた対応付情報が存在する場合にその対応付情報に基づいて複数の映像情報を順次出力させる映像情報出力制御手段１４６（ＳＣ７）を含むものであることから、可及的に簡便な操作により多様性に富んだ背景映像を設定することができる。すなわち、顧客（ユーザ）の撮影した映像を簡便に且つ嗜好に沿った形で背景映像として供給し得る音楽再生装置の背景映像供給システム１０を提供することができる。
【００６４】
また、顧客を識別するための顧客情報を入力するための顧客情報入力手段１３８（ＳＡ４乃至ＳＡ６、ＳＡ４３乃至ＳＡ４６、ＳＣ１８）を含み、前記映像情報対応付手段１４０は、その顧客情報入力手段１３８により入力された顧客情報と前記対応付情報とを関連付けるものであり、前記映像情報出力制御手段１４６は、前記演奏曲選択手段１３４により選択された演奏曲を出力させる際、その演奏曲に対応付けられ且つ前記顧客情報入力手段１３８により入力される顧客情報に関連付けられた対応付情報が存在する場合にその対応付情報に基づいて複数の映像情報を順次出力させるものであるため、前記顧客情報により識別された顧客に限定して前記カラオケ装置１４の背景映像供給システム１０を提供できることに加え、前記背景映像登録用データベース及び対応付情報用データベースにその顧客情報毎に格納することで前記映像情報及び対応付情報の管理が容易になるという利点がある。
【００６５】
また、前記映像情報対応付手段１４０は、前記複数の映像情報を出力させる前記カラオケ装置１４を有する店舗を指定する店舗指定手段１４２（ＳＡ２０乃至ＳＡ２５、ＳＡ３８乃至ＳＡ４１）を含むものであるため、必要に応じて前記映像情報及び対応付情報を各カラオケ装置１４に配信することで、それらのカラオケ装置１４の負荷を低減できるという利点がある。
【００６６】
また、前記映像情報対応付手段１４０は、前記複数の映像情報を出力させる年月日を指定する年月日指定手段１４４（ＳＡ２０乃至ＳＡ２５、ＳＡ３８乃至ＳＡ４１）を含むものであるため、必要に応じて前記映像情報及び対応付情報を各カラオケ装置１４に配信することで、それらのカラオケ装置１４の負荷を低減できるという利点がある。
【００６７】
また、前記カラオケ装置１４及び携帯電話機１２と前記広域通信網２２を介して接続されるサーバ２４を含み、そのサーバ２４は、前記映像情報入力手段１３６により入力された映像情報と、前記映像情報対応付手段１４０により対応付けられた演奏曲と複数の映像情報との対応付情報とを、少なくとも前記顧客情報入力手段１３８により入力された顧客情報と関連付けて記憶する記憶手段である記憶装置８４を含むものであるため、前記サーバ２４により映像情報を集中管理し、各カラオケ装置１４にその映像情報を適宜配信することで、それらのカラオケ装置１４の負荷を低減できるという利点がある。
【００６８】
また、前記サーバ２４は、前記演奏曲を選択するための演奏曲選択手段１３４（ＳＢ１０及びＳＢ１２）と、静的又は動的な映像情報を入力するための映像情報入力手段１３６（ＳＢ６）と、顧客を識別するための顧客情報を入力するための顧客情報入力手段１３８（ＳＢ２）と、前記演奏曲選択手段１３４により選択された演奏曲に対して前記映像情報入力手段１３６により入力された複数の映像情報を背景映像として対応付ける映像情報対応付手段１４０（ＳＢ１２）と、前記映像情報入力手段１３６により入力された映像情報と、前記映像情報対応付手段１４０により対応付けられた演奏曲と複数の映像情報との対応付情報とを、少なくとも前記顧客情報入力手段１３８により入力された顧客情報と関連付けて記憶する記憶手段である記憶装置８４とを、含むことから、可及的に簡便な操作により多様性に富んだ背景映像を設定することができる。
【００６９】
また、前記映像情報対応付手段１４０により前記演奏曲に対して複数の映像情報が背景映像として対応付けられた際、新規に対応付けられた場合及び既に対応付けられた前記対応付情報について表示が予定されていた年月日を経過した後にその対応付情報を変更する場合に利用料金を課金する課金手段１４８（ＳＢ１４、ＳＢ１５、ＳＢ３４）を含むものであるため、新規に対応付情報を設定する場合や、既に設定されている対応付情報について表示が予定されていた年月日を経過した後にその対応付情報を変更する場合には所定の利用料金を課金し、その他の場合、例えば既に設定されている対応付情報について表示が予定されている年月日以前にその対応付情報を変更する場合には利用料金を課金しないことで、合理的な課金が実現できるという利点がある。
【００７０】
続いて、本発明の他の実施例を図面に基づいて詳細に説明する。なお、以下の説明に用いる図面に関して、前述の実施例と重複する部分に関しては同一の符号を付してその説明を省略する。
【００７１】
図３６は、前記ＭＩＤＩ曲データベースに格納される演奏データの一例を示す図である。この図３６に示す演奏データは、音質（楽器の種類）及び音程等により定められる所定の音楽情報に対応した「イベント」と、その「イベント」を演奏の進行と同期して出力させるための時間情報Δｔとから成り、所定の背景映像を出力させるための「フラグ」は含まれていない。前記カラオケ装置１４は、斯かる演奏データに基づいて演奏曲を出力させる。演奏が開始されると、先ず、制御１において、時間Δｔ１  が読み出されてその時間Δｔ１  が経過すると、イベント１が読み出されて前記シンセサイザ１２０へ転送される。この制御１により、前記シンセサイザ１２０を介してイベント１に対応する演奏音が前記スピーカ１２４から出力されると共に、イベント１に対応する歌詞テロップが前記ＣＲＴコントローラ１１２により再生されて前記画像表示装置１１６に表示される。同様に、制御２、制御３、制御４、・・・において、それぞれのイベントがΔｔ２  、Δｔ３  、Δｔ４  、・・・のタイミングで前記シンセサイザ１２０へ転送されてそれぞれの演奏音が前記スピーカ１２４から出力されると共に、歌詞テロップが前記画像表示装置１１６に表示され、連続的に出力されるこれらの演奏音及び歌詞テロップにより本演奏の旋律及び歌詞文字情報が形成されることで、図３６の演奏データが与える演奏曲が演奏される。
【００７２】
図３７は、図３６に示す演奏データに対応するものであり、前記対応付情報用データベースに格納される対応付情報の一例を示す図である。この図３７に示す対応付データは、データ構造的には上述した図３６に示す演奏データとは独立した構成であるが、演奏の進行に伴って前記複数の映像情報を出力させる順番と、各映像情報を出力させる時間Δｔとが、組み合わされて構成されている。前記カラオケ装置１４は、斯かる対応付データに基づいて背景映像を出力させる。演奏が開始されると、先ず、制御１において、時間Δｔα  が読み出されてその時間Δｔα  が経過すると、映像指定データ１が読み出されてその映像指定データ１により指定された映像情報が再生される。同様に、制御２、制御３、・・・、制御Ｚにおいて、映像データ２、３、・・・、ＺがΔｔβ  、Δｔγ  、・・・、Δｔω  のタイミングで読み出され、映像指定データ２、３、・・・、Ｚにより指定される映像情報が順次再生されることで、それら一連の背景映像が前記画像表示装置１１６に表示される。ここで再生される映像情報は、ユーザにより撮影されて前記映像登録用データベースに記憶された映像データであり、映像指定データが映像登録番号に対応付けられていることは言うまでもない。
【００７３】
図３８は、上述した図３７に示す対応付情報を設定するために前記携帯電話機１２の表示部４２に表示される映像の対応付設定画面であり、前述した図２５に対応するものである。斯かる映像の対応付設定画面では、「タイトル」及び「前奏」に映像情報を対応付けられると共に、その後に複数の映像情報を所望の「表示時間」で対応付けられるようになっている。この「表示時間」は、図３７に示す対応付データの時間Δｔδ  、・・・、Δｔω  として記憶され、また前奏時間は、Δｔγ  として記憶され、その合計Δｔα  ＋Δｔβ  ＋・・・＋Δｔω  は、演奏曲の演奏時間と一致させられるようになっている。なお、タイトルの表示時間は、Δｔβ  と対応している。また、その演奏曲を出力させる「カラオケ店（店舗）」及び「年月日（日時）」が指定できるようになっており、「登録」又は「中止」が選択できるようになっている。この映像の対応付設定画面に従って設定が行われることで、上述した図３７に示す対応付情報（対応付データ）が設定される。
【００７４】
このように、本実施例によれば、前記映像情報対応付手段１４０は、前記演奏曲選択手段１３４により選択された演奏曲に対して前記映像情報入力手段１３６により入力された複数の映像情報及び各映像情報を出力させる時間Δｔを対応付情報として設定するものであり、前記カラオケ装置１４は、前記演奏曲選択手段１３４により選択された演奏曲を出力させる際、その演奏曲に対応付けられた対応付情報が存在する場合にその対応付情報に基づいて複数の映像情報を演奏の進行と同期して順次定められた時間Δｔずつ出力させる映像情報出力制御手段１４６を含むものであることから、背景映像の対応付けの自由度が可及的に高められるという利点がある。
【００７５】
図３９は、上述した図１５に示す演奏データ及び図１７に示す対応付情報に基づいて演奏音及び背景映像を出力させる前記カラオケ装置１４のＣＰＵ１０２の制御作動の要部を説明するフローチャートであって、前述した図３４のＳＣ７に対応する時間制御サブルーチンを示しており、例えば１ｍｓに繰り返し実行されるものである。先ず、図３９に示すＳＤ１において、前記演奏データの音楽情報（音楽データ／イベント）又はフラグに付された時間Δｔが経過したか否かが判断される。このＳＤ１の判断が否定される場合には、それをもって本ルーチンが終了させられるが、ＳＤ１の判断が肯定される場合には、ＳＤ２において、時間が経過したことにより出力されるべきデータが音楽データ（イベント）であるか否かが判断される。このＳＤ２の判断が肯定される場合には、ＳＤ３において、時間が経過したことにより出力されるべき音楽データ（イベント）が前記シンセサイザ１２０へ送られ、ＳＤ５において、次の時間情報Δｔが読み込まれた後、本ルーチンが終了させられるが、ＳＤ２の判断が否定される場合、すなわち時間が経過したことにより出力されるべきデータが「フラグ」である場合には、ＳＤ４において、上記対応付情報に基づいて「フラグ」に対応した映像指定データにより指定される映像データが出力待データベースから読み出されて、その映像データに対応する背景映像が前記画像表示装置１１６に表示され、ＳＤ５において、次の時間情報Δｔが読み込まれた後、本ルーチンが終了させられる。以上のＳＤ１乃至ＳＤ５が、前記映像情報出力制御手段１４６に対応する。ここで再生される映像情報は、ユーザにより撮影されて前記映像登録用データベースに記憶された映像データであり、映像指定データが映像登録番号に対応付けられていることは言うまでもない。
【００７６】
以上、本発明の好適な実施例を図面に基づいて詳細に説明したが、本発明はこれに限定されるものではなく、更に別の態様においても実施される。
【００７７】
図４０は、前記携帯電話機１２の制御部４８及び前記カラオケ装置１４のＣＰＵ１０２の制御機能の要部を説明する機能ブロック線図であり、前述した図６に対応するものである。この図４０に示すように、前記映像情報入力手段１３６により入力された映像情報と、前記映像情報対応付手段１４０により対応付けられた演奏曲と複数の映像情報との対応付情報とを、少なくとも前記顧客情報入力手段１３８により入力された顧客情報と関連付けて記憶する記憶手段は、前記カラオケ装置１４の記憶装置１０８であってもよく、前記サーバ２４は、必ずしも設けられていなくともよい。この場合、前記演奏曲選択手段１３４、映像情報入力手段１３６、顧客情報入力手段１３８、及び映像情報対応付手段１４０に対応する制御は、前記カラオケ装置１４のＣＰＵ１０２により実行される。斯かる構成によれば、複数のカラオケ装置１４に負荷を分散することで映像情報入出力１３６の応答性を高められるという利点がある。
【００７８】
また、前述の実施例では、前記映像情報対応付手段１４０による対応付け等の制御において、映像情報を指定するために会員ナンバー及び映像登録番号が入力されていたが、映像登録番号のみにより映像情報を指定するものであっても構わない。
【００７９】
また、前述の実施例では、前記映像情報としてＪＰＥＧ形式による静止画又はＭＰＥＧ形式による動画が例示されていたが、本発明の映像情報はこれに限定されるものでは当然になく、例えばＧＩＦ形式、ＢＭＰ形式、又はＰＮＧ形式等の様々な形式にて圧縮された静止画乃至動画が、広く背景映像に供給される。
【００８０】
また、前記サーバ２４の記憶装置８４に設けられた映像登録用データベース及び対応付情報用データベースから、前記カラオケ装置１４の記憶装置１０８に設けられた出力待映像データベースへの転送（ダウンロード）は、例えば１日１回というような所定の周期で実行されるものであってもよいし、必要に応じて実行される所謂オン・デマンド方式によるものであっても構わない。
【００８１】
また、背景映像として出力される映像情報が動画である場合に、前記対応付設定情報に定められた出力されるべき時間Δｔよりもその動画の再生時間が短いことが考えられるが、その余剰時間に、その動画の再生終了付近の映像を静止画として出力してもよい。また、その余剰時間に、その動画とは異なる映像情報を出力しても構わない。
【００８２】
その他、一々例示はしないが、本発明はその趣旨を逸脱しない範囲内において、種々の変更が加えられて実施されるものである。
【図面の簡単な説明】
【図１】本発明の一実施例である音楽再生装置による背景映像供給システムについて説明する図である。
【図２】図１に示す携帯電話機の操作部を説明する図であり、（ａ）は開いた様子を、（ｂ）は折り畳んだ様子を示している。
【図３】図２の携帯電話機の構成を説明するブロック線図である。
【図４】図１に示す背景映像供給サービス提供会社のサーバの構成を説明するブロック線図である。
【図５】図１に示すカラオケ装置の構成を説明するブロック線図である。
【図６】図３に示す携帯電話機の制御部、図４に示すサーバのＣＰＵ、及び図５に示すカラオケ装置のＣＰＵの制御機能の要部を説明する機能ブロック線図である。
【図７】図４に示すサーバの記憶装置に設けられたＭＩＤＩ曲データベースを説明する図である。
【図８】図４に示すサーバの記憶装置に設けられた会員登録用データベースを説明する図である。
【図９】図４に示すサーバの記憶装置に設けられた映像登録用データベースを説明する図である。
【図１０】図４に示すサーバの記憶装置に設けられた店舗用データベースを説明する図である。
【図１１】図４に示すサーバの記憶装置に設けられた対応付情報用データベースを説明する図である。
【図１２】図５に示すカラオケ装置の記憶装置に設けられた出力待映像データベースを説明する図である。
【図１３】図５に示すカラオケ装置の記憶装置に設けられたＭＩＤＩ曲データベースを説明する図である。
【図１４】図５に示すカラオケ装置のＲＡＭに設けられた予約曲データベースを説明する図である。
【図１５】図７に示すＭＩＤＩ曲データベースに格納される演奏データの一例を示す図である。
【図１６】図７に示すＭＩＤＩ曲データベースに格納される対応付設定データの一例を示す図である。
【図１７】図１１に示す対応付情報用データベースに格納される対応付データの一例を示す図である。
【図１８】図６に示す携帯電話機の制御作動の要部を説明するフローチャートの一部である。
【図１９】図６に示す携帯電話機の制御作動の要部を説明するフローチャートの一部である。
【図２０】図６に示す携帯電話機の制御作動の要部を説明するフローチャートの一部である。
【図２１】図２に示す携帯電話機の表示部に表示される映像登録サービスのトップメニュー画面である。
【図２２】図２に示す携帯電話機の表示部に表示される映像登録サービスの会員登録画面である。
【図２３】図２に示す携帯電話機の表示部に表示される映像登録サービスの映像の登録画面である。
【図２４】図２に示す携帯電話機の表示部に表示される映像登録サービスの登録通知画面である。
【図２５】図２に示す携帯電話機の表示部に表示される映像登録サービスの映像の対応付設定画面である。
【図２６】図２に示す携帯電話機の表示部に表示される映像登録サービスの登録映像の削除画面である。
【図２７】図２に示す携帯電話機の表示部に表示される映像登録サービスの登録曲の削除画面である。
【図２８】図２に示す携帯電話機の表示部に表示される映像登録サービスの登録曲の確認画面である。
【図２９】図２に示す携帯電話機の表示部に表示される映像登録サービスの登録曲の対応付確認画面である。
【図３０】図２に示す携帯電話機の表示部に表示される映像登録サービスの会員ナンバーの入力画面である。
【図３１】図２に示す携帯電話機の表示部に表示される映像登録サービスの登録映像の確認画面である。
【図３２】図６に示すサーバの制御作動の要部を説明するフローチャートの一部である。
【図３３】図６に示すサーバの制御作動の要部を説明するフローチャートの一部である。
【図３４】図６に示すカラオケ装置の制御作動の要部を説明するフローチャートである。
【図３５】図５に示すカラオケ装置の画像表示装置に表示される背景映像の一例を示す図である。
【図３６】図７に示すＭＩＤＩ曲データベースに格納される演奏データの他の一例を示す図である。
【図３７】図１１に示す対応付情報用データベースに格納される対応付データの他の一例を示す図である。
【図３８】図３７に示す対応付情報を設定するために携帯電話機の表示部に表示される映像の対応付設定画面である。
【図３９】図１７に示す対応付情報に基づいて背景映像を出力させるカラオケ装置の制御作動の要部を説明するフローチャートである。
【図４０】図３に示す携帯電話機の制御部及び図５に示すカラオケ装置のＣＰＵの制御機能の他の一例の要部を説明する機能ブロック線図である。
【符号の説明】
１０：背景映像供給システム
１２：携帯電話機（通信端末）
１４：カラオケ装置（音楽再生装置）
２２：広域通信網
２４：サーバ
８４：記憶装置（記憶手段）
１０８：記憶装置（記憶手段）
１１６：画像表示装置（画像情報出力手段）
１３４：演奏曲選択手段
１３６：映像情報入力手段
１３８：顧客情報入力手段
１４０：映像情報対応付手段
１４２：店舗指定手段
１４４：年月日指定手段
１４６：映像情報出力制御手段
１４８：課金手段
【図１】
2004246075.tif 000003
【図２】
2004246075.tif 000004
【図３】
2004246075.tif 000005
【図４】
2004246075.tif 000006
【図５】
2004246075.tif 000007
【図６】
2004246075.tif 000008
【図７】
2004246075.tif 000009
【図８】
2004246075.tif 000010
【図９】
2004246075.tif 000011
【図１０】
2004246075.tif 000012
【図１１】
2004246075.tif 000013
【図１２】
2004246075.tif 000014
【図１３】
2004246075.tif 000015
【図１４】
2004246075.tif 000016
【図１５】
2004246075.tif 000017
【図１６】
2004246075.tif 000018
【図１７】
2004246075.tif 000019
【図１８】
2004246075.tif 000020
【図１９】
2004246075.tif 000021
【図２０】
2004246075.tif 000022
【図２１】
2004246075.tif 000023
【図２２】
2004246075.tif 000024
【図２３】
2004246075.tif 000025
【図２４】
2004246075.tif 000026
【図２５】
2004246075.tif 000027
【図２６】
2004246075.tif 000028
【図２７】
2004246075.tif 000029
【図２８】
2004246075.tif 000030
【図２９】
2004246075.tif 000031
【図３０】
2004246075.tif 000032
【図３１】
2004246075.tif 000033
【図３２】
2004246075.tif 000034
【図３３】
2004246075.tif 000035
【図３４】
2004246075.tif 000036
【図３５】
2004246075.tif 000037
【図３６】
2004246075.tif 000038
【図３７】
2004246075.tif 000039
【図３８】
2004246075.tif 000040
【図３９】
2004246075.tif 000041
【図４０】
2004246075.tif 000042